(57)【特許請求の範囲】
【請求項１】
複数個の照光用ランプと、各照光用ランプにそれぞれ個別に接続されるランプ端子と、全ての照光用ランプに接続されるコモン端子とを備え、ランプ接触子ベースに保持され各照光用ランプに接触するランプ接触子は、前記ランプ接触子ベースに設けられた円形の貫通穴に配置され前記ランプ接触子ベースの内部に設けられた複数の渡り片を介してそれぞれ互いに導通され、前記複数の渡り片は、前記ランプ接触子ベースに保持され前記貫通穴の中央側に向かって延長し前記中央側で互いに導通されている照光装置の製造方法であって、
前記円形の貫通穴より小さい直径の円筒状の切断用工具を前記貫通穴に挿入して回転することによって、前記渡り片を切断する工程と、切断した前記渡り片を切断用工具に設けられたスリットに保持して当該切断した渡り片を当該切断用工具とともに前記貫通穴から取り出す工程と、
を備えたことを特徴とする照光装置製造方法。
【請求項２】
複数個の照光用ランプと、各照光用ランプにそれぞれ個別に接続されるランプ端子と、全ての照光用ランプに接続されるコモン端子とを備え、ランプ接触子ベースに保持され各照光用ランプに接触するランプ接触子は、前記ランプ接触子ベースに設けられた貫通穴に配置され前記ランプ接触子ベースの内部に設けられた複数の渡り片を介してそれぞれ互いに導通され、前記複数の渡り片は、前記ランプ接触子ベースに保持され前記貫通穴の中央側に向かって延長し前記中央側で互いに導通されている照光装置において、
前記渡り片は切断してあり、切断された前記渡り片を相互に接続する導電性材料製の渡り部品が前記貫通穴に嵌め込んであること
を特徴とする照光装置。
【発明の詳細な説明】
【０００１】
【発明の属する技術分野】
本発明は、例えば照光式押ボタンスイッチあるいは表示灯などの照光装置および照光装置製造方法に関する。
【０００２】
【従来の技術】
操作パネル等に装着される押ボタンスイッチの１つに、押ボタン等を有する操作部と、マイクロスイッチ等の接点機構を有するスイッチ部とを備え、操作部に複数個の照光用ランプ及びその保持用のランプホルダを配置した構造の照光式押ボタンスイッチがある。例えば、実公昭６３−４４８９８号公報には、正面形状矩形の操作部に、４個の照光用ランプを矩形状に配置した長角形の照光式押ボタンスイッチが記載されている。
【０００３】
この種の照光式押ボタンスイッチでは、各照光用ランプに接触子等を介して導通するランプ端子をそれぞれ個別に設けるとともに、その各ランプ端子と、全ランプ共通のコモン端子の各端部をスイッチ部の後端面から突出させている。
【０００４】
【発明が解決しようとする課題】
ところで、照光式押ボタンスイッチにおいては、操作部に配置した複数個の照光用ランプの全てで押ボタンの前面の全領域を照光する、いわゆる全面照光を行う場合が多いが、図１８に示すように、押ボタン１１２の前面を複数の領域に分割して表示するといった分割照光を行う場合もあり、このことを考慮して、従来では、前記したように、複数（４個）の照光用ランプの各ランプ端子をそれぞれ独立して設けているわけであるが、このような構造では、全面照光を行う場合、各照光用ランプのランプ端子について渡り配線を行うことが必要になる。例えば４個の照光用ランプを搭載したスイッチでは、コモン端子の逆側に３箇所の渡り配線が必要になり、その配線作業が面倒で多くの時間を要する。
【０００５】
なお、以上のような点は、操作パネルのディスプレイブロック（表示灯）などの他の照光装置においても同じことが言える。
【０００６】
本発明はそのような実情に鑑みてなされたもので、全面照光の場合の配線作業が簡単で、しかも全面照光から分割照光への変更をユーザーサイドで容易に行うことが可能な照光装置およびそのような照光装置を製造する照光装置製造方法の提供を目的とする。
【０００７】
【課題を解決するための手段】
請求項１に係る照光装置製造方法は、複数個の照光用ランプと、各照光用ランプにそれぞれ個別に接続されるランプ端子と、全ての照光用ランプに接続されるコモン端子とを備え、ランプ接触子ベースに保持され各照光用ランプに接触するランプ接触子は、前記ランプ接触子ベースに設けられた円形の貫通穴に配置され前記ランプ接触子ベースの内部に設けられた複数の渡り片を介してそれぞれ互いに導通され、前記複数の渡り片は、前記ランプ接触子ベースに保持され前記貫通穴の中央側に向かって延長し前記中央側で互いに導通されている照光装置の製造方法であって、前記円形の貫通穴より小さい直径の円筒状の切断用工具を前記貫通穴に挿入して回転することによって、前記渡り片を切断する工程と、切断した前記渡り片を切断用工具に設けられたスリットに保持して当該切断した渡り片を当該切断用工具とともに前記貫通穴から取り出す工程と、を備えたことを特徴とする。
【０００８】
請求項２に係る照光装置は、複数個の照光用ランプと、各照光用ランプにそれぞれ個別に接続されるランプ端子と、全ての照光用ランプに接続されるコモン端子とを備え、ランプ接触子ベースに保持され各照光用ランプに接触するランプ接触子は、前記ランプ接触子ベースに設けられた貫通穴に配置され前記ランプ接触子ベースの内部に設けられた複数の渡り片を介してそれぞれ互いに導通され、前記複数の渡り片は、前記ランプ接触子ベースに保持され前記貫通穴の中央側に向かって延長し前記中央側で互いに導通されている照光装置において、前記渡り片は切断してあり、切断された前記渡り片を相互に接続する導電性材料製の渡り部品が前記貫通穴に嵌め込んであることを特徴とする。
【００１２】
【発明の実施の形態】
本発明の実施の形態を、以下、図面に基づいて説明する。
【００１３】
本実施の形態では、照光式押ボタンスイッチに本発明を適用した例を示している。照光式押ボタンスイッチは、図１〜図３に示すように、操作部１０１とスイッチ部１０２によって構成されている。
【００１４】
操作部１０１は、筒状四角形に成形された操作部ケース１１０の内部に、操作軸１１１を操作方向に移動自在に配置した構造で、その操作部ケース１１０の側面に、操作部１０１の全体を操作パネル（図示せず）に固定するための固定金具（ばね材）１１３が設けられている。
【００１５】
操作軸１１１は、反転機構部１０３の押圧片１３１を押圧する部材で、前端に押ボタン１１２が設けられており、復帰ばね１１４によって前方側に押圧された状態で操作部ケース１１０に収容されている。
【００１６】
スイッチ部１０２は、操作部１０１に対応する四角形状に成形されたスイッチ部ケース１２０の内部に、接点部１２１を有するマイクロスイッチ１２２と反転機構部１０３を収容した構造で、その反転機構部１０３の押圧片１３１の押圧面が操作部１０１側に臨んでいる。
【００１７】
なお、この実施の形態において、操作部１０１の操作部ケース１１０の前端周縁にはフランジ１１０ｂが一体形成されており、この操作部ケース１１０を、操作パネルの取付孔（角孔）にパネル前方側から嵌め込むだけで、フランジ１１０ｂと固定金具１１３との間に操作パネルが挟み込まれて、操作部１０１の全体が操作パネルに固定される構造となっている。
【００１８】
また、操作部ケース１１０の背面側中央部に嵌合凹部１１０ａが設けられ、これに対応して、スイッチ部ケース１２０の正面側中央部に嵌合凸部１２０ａが設けられており、その嵌合凸部１２０ａを操作部ケース１１０の嵌合凹部１１０ａに嵌め込むことにより、これら操作部１０１とスイッチ部１０２とを着脱自在に連結することが可能な構造となっている。さらに、その凹凸の嵌合部に、連結状態の操作部１０１とスイッチ部１０２を相互に固定するためのロックレバー１０４が設けられており、そのロックレバー１０４が不用意に動かないように、先端にストッパ１０５が設けられている。
【００１９】
さて、本実施の形態では、図１〜図３に示すように、押ボタン１１２を照光する４個の照光用ランプ１，２，３，４を備えている。これら４個の照光用ランプ１，２，３，４は、操作部ケース１１０内に収容されるランプホルダ５によって、押ボタン１１２の裏面側の所定位置に保持される。ランプホルダ５の後部中央には、照光用ランプ１，２，３，４の全てに接触するコモン接触子１５が設けられている。このコモン接触子１５は、後述するランプ接触子ベース１０の配線パターン１５ａを介してスイッチ部１０２の後部に設けられたコモン端子３５に接続される。
【００２０】
ランプ接触子ベース１０は、ランプホルダ５の後部に位置し操作部ケース１１０内の底部に収容される。ランプ接触子ベース１０には、図４〜図６に示すように、照光用ランプ１，２，３，４に対応する位置関係で配置されたランプ接触子１１，１２，１３，１４と、その各接触子にそれぞれ配線パターン２１ａ，２２ａ，２３ａ，２４ａを介して導通する渡り片２１，２２，２３，２４とが設けられている。それら渡り片２１，２２，２３，２４は、ランプ接触子ベース１０の中央に向かって延びており、その中央において互いに導通している。
【００２１】
また、ランプ接触子ベース１０には、ランプ接触子１１，１２，１３，１４のそれぞれに導通するリード１１ｂ，１２ｂ，１３ｂ，１４ｂが４隅に配置されている。これらリード１１ｂ，１２ｂ，１３ｂ，１４ｂは、操作部１０１とスイッチ部１０２を組み立てた状態で、スイッチ部１０２側に設けたランプ端子３１，３２，３３，３４に接触する。
【００２２】
各ランプ接触子１１，１２，１３，１４は、その各接触子と相似形の貫通穴１１ａ，１２ａ，１３ａ，１４ａから上方に向けて傾斜しており、各照光用ランプ１，２，３，４の各口金に、ある程度の弾性力をもって接触することができる。また、渡り片２１，２２，２３，２４の一部は、ランプ接触子ベース１０の中央に設けられた貫通穴１０ａ内に配置されており、ニッパー等の工具あるいは図８に示すような切断用工具７を用いて簡単に切断することができる。なお、ランプ接触子ベース１０には、コモン接触子１５とコモン端子３５とを接続するための配線パターン１５ａ及びリード１５ｂも備えている。
【００２３】
そして、以上のランプ接触子ベース１０は、図６に示すようなパターンつまりランプ接触子１１〜１４、渡り片２１〜２４、配線パターン２１ａ〜２４ａ，１５ａ、並びにリード１１ｂ〜１５ｂが形成されてなる接触子パターンをインサート成形（絶縁樹脂）することによって得ることができる。
【００２４】
なお、ランプ接触子ベース１０の作製する方法としては、前記したインサート成形のほか、接触子パターンのプレス加工品を２点の樹脂成形品でサンドイッチする方法、あるいは熱かしめ法などを挙げることができる。
【００２５】
ここで、本実施の形態では、図７（Ａ）〜（Ｅ）に示すような渡り部品６１，６２，６３，６４，６５を用意しておく。これら渡り部品６１〜６５は導電性材料製で、図９（Ｃ）に例示するように、ランプ接触子ベース１０の中央に設けた貫通穴１０ａに嵌まり合う形状に加工されており、図７（Ａ）の渡り部品６１は、切断を行った渡り片２１〜２４のうちの３つの渡り片を接続する部品である。（Ｂ）の渡り部品６２は、切断を行った渡り片２１〜２４のうち、互いに対向する２つの渡り片を接続する部品であり、（Ｃ）の渡り部品６３は、切断を行った渡り片２１〜２４のうち、隣り合う２つの渡り片を接続する部品である。そして、（Ｄ）の渡り部品６４は、切断を行った渡り片２１〜２４の全てを接続する部品である。（Ｅ）の渡り部品６５は、切断を行った渡り片２１〜２４のうち、隣り合う２つの渡り片を２箇所接続する部品である。
【００２６】
また、本実施の形態では、図８に示すような切断用工具７を用意しておく。この切断用工具７は、ランプ接触ベース１０の中央の貫通穴１０ａよりも所定量だけ直径が小さい金属棒部材（例えば、鋼棒をＬ字状に折り曲げた部材）で、先端が中空円筒に加工されており、さらにその中空円筒部の４箇所にスリット７１，７２が加工されているとともに、スリット加工部のエッジ部分が刃状に加工されている。なお、図８では、例としてＬ字状に折り曲げているが、これに限られることはない。また、図８の切断用工具において、スリット７２を設けずに、スリット７１のみとしてもよい。さらに、切断用工具としては、図８に示したもののほか、例えば先端が刃状に加工されたポンチ等であってもよい。
【００２７】
次に、実施の形態の使用方法を、図９を参照しながら説明する。
まず、本実施の形態において、ランプ照光方式を全面照光とする場合、図４に示すままの状態で、操作部ケース１１０内の底部に配置しているランプ接触子ベース１０に何も手を加えることなく、操作部１０１とスイッチ部１０２を所定の要領で組み立てる。なお、全面照光の場合、４本のランプ端子３１〜３４のうち、いずれか一つの端子と、コモン端子３５に配線（電源供給用）を接続すればよい。
【００２８】
一方、ランプ照光方式を分割照光とする場合、ランプ接触子ベース１０を操作部ケース１１０内の底部に配置したまま、図９に示すように、ランプ接触子ベース１０の中央に設けた貫通穴１０ａに、切断用工具７の先端を、各スリット７１を４本の渡り片２１〜２４にそれぞれ合わせた状態で差し込み（Ａ）、次いで切断用工具７を回転させて４本の渡り片２１〜２４を切断する（Ｂ）。この時、切断された渡り片は、切断用工具７のスリット７２に保持され、切断用工具７とともに取り出せる。このような切断作業により、各ランプ接触子１１，１２，１３，１４がそれぞれ電気的に分割される。そして、操作部１０１とスイッチ部１０２を組み立てると、４分割の照光が可能となる。
【００２９】
また、以上の渡り片２１〜２４の切断を行った後、図７（Ａ）に示した渡り部品６１をランプ接触子ベース１０の貫通穴１０ａに嵌め込むと（図９（Ｃ）参照）、４つの渡り片２１〜２４のうち、３つの渡り片を接続することができ、図７（Ｂ），（Ｃ）または（Ｅ）の渡り部品６２，６３，６５を貫通穴１０ａに嵌め込むと２つの渡り片を接続することができる。さらに、渡り片の切断後において、全面照光に戻したい場合には、図７（Ｄ）の渡り部品６４を、接触子ベース１０の貫通穴１０ａに嵌め込めばよい。
【００３０】
なお、図９（Ｂ）において、渡り片２１〜２４を切断するときに、各片の一部が貫通穴１０ａ内に残るように切断しているのは、渡り部品６１〜６５を貫通穴１０ａに嵌め込んだ際に、各渡り片２１〜２４との接触面積を大きくするためであり（図９（Ｃ）参照）、渡り部品６１〜６５による接続を行わない場合には、貫通穴１０ａの内面と面一で渡り片２１〜２４を切断しても良い。
【００３１】
図１０はランプ接触子ベースの参考例を示す正面図、図１１はその図１０のＺ部詳細図である。
【００３２】
この実施の形態は、ランプ接触子ベース１０′に設ける渡り片２１〜２４の接続部の構造が先の実施の形態と異なる。
【００３３】
すなわち、図１０，図１１に示す実施の形態では、互いに隣合う渡り片２１と２２、渡り片２１と２３、渡り片２３と２４、及び渡り片２２と２４とをそれぞれ接続するとともに、その各接続部２０を貫通穴２０ｂ内に配置しているところに特徴があり、このような構造を採用すれば、４つ接続部２０のうち、切断を行う接続部２０を適宜に選択することにより、上下分割、左右分割、３分割、４分割などの分割照光を自由に設定することができる。
【００３４】
なお、この実施の形態において、切断を行った後に、渡り片２１〜２４を再度接続する場合には、ランプ接触子ベース１０′の貫通穴２０ｂに、先の図７（Ｄ）に示したものと同様な形状の渡り部品を嵌め込めばよい。
【００３５】
照光装置の参考例を、以下、図面に基づいて説明する。図１２は照光装置の参考例に用いるランプ接触子ベース２１０の正面図である。
【００３６】
この実施の形態は、ランプ接触子ベース２１０に、各ランプ接触子１１，１２，１３，１４の渡り接続を行うためのロータリスイッチ２２０を設けたところに特徴がある。
【００３７】
そのロータリスイッチ２２０は、図１３及び図１４に示すように、端子Ｐ（Ｐ1,Ｐ2,Ｐ3,Ｐ4 ）を備えており、その各端子Ｐ1,Ｐ2,Ｐ3,Ｐ4 がランプ接触子１１，１２，１３，１４に配線パターン（図示せず）を介して接続されている。なお、端子Ｐ1,Ｐ2,Ｐ3,Ｐ4 の添字は、照光用ランプ１，２，３，４の符号と対応している。
【００３８】
ロータリスイッチ２２０のロータ２２１の側面には、円弧状の接触片２２１ａ，２２１ｂが設けられており、そのロータ２２１の回転により端子Ｐ1,Ｐ2,Ｐ3,Ｐ4 の全て、もしくは少なくとも２つの端子を選択的に接続する状態と、いずれの端子も接続しない状態を選択的に切り換えることができる。従って、ロータリスイッチ２２０を操作することにより、ランプ接触子１１，１２，１３，１４間の渡り接続を適宜に変更することができ、上下分割、左右分割、３分割、４分割などの分割照光を自由に設定することができる。なお、ロータ２２１の上部には、図示はしないが、回転操作用のつまみ、あるいはドライバ等の工具の先端を差し込むための溝等が設けられている。
【００３９】
以上のロータリスイッチ２２０による接続の具体的な例を、図１４を参照しながら以下に説明する。
【００４０】
まず、図１４（Ａ）に示すように、ロータ２２１の上面に付した矢印を時計方向の１２時の位置に合わせると、接点Ｐ1,Ｐ2,Ｐ3,Ｐ4 の全てが接続されて照光方式を全面照光とすることができる。
【００４１】
次に、（Ｂ）に示すように、ロータ２２１を時計廻りに４５度回転させると、接点Ｐ1 とＰ2 及び接点Ｐ3 とＰ4 とがそれぞれ接続されて上下２分割の照光とすることができ、さらに時計廻りに９０度回転させると（Ｃ）、接点Ｐ1 とＰ3 及び接点Ｐ2 とＰ4 とがそれぞれ接続されて左右２分割の照光とすることができる。そして、ロータ２２１を時計廻りに１３５度回転させると（Ｄ）、いずれの接点も接続されず４分割の照光方式となる。一方、図１４（Ｅ）〜（Ｈ）に示すように、ロータ２２１を時計廻りに１８０度、２２５度、２７０度または３１５度回転させると、照光方式を３分割とすることができる。
【００４２】
図１５は、ランプ接触子ベースの他の参考例を示す正面図である。
【００４３】
この実施の形態は、ランプ接触子ベース３１０に、各ランプ接触子１１，１２，１３，１４間の渡り接続を行うためのディップスイッチ３２０を設けたところに特徴がある。
【００４４】
ディップスイッチ３２０は、図１６に示すように、４個のスイッチＳＷ1,ＳＷ2,ＳＷ3,ＳＷ4 が配列されており、そのスイッチＳＷ1 の２つの端子Ｔ11とＴ12にはそれぞれ渡り片２１と２３が接続されており、スイッチＳＷ2 の２つの端子Ｔ21とＴ22にはそれぞれ渡り片２２と２１が接続されている。また、スイッチＳＷ3 の２つの端子Ｔ31とＴ32にはそれぞれ渡り片２４と２３が接続されており、スイッチＳＷ4 の２つの端子Ｔ41，Ｔ42にはそれぞれ渡り片２２と２４が接続されている。
【００４５】
そして、以上の構造のディップスイッチ３２０において、全てのスイッチＳＷ1,ＳＷ2,ＳＷ3,ＳＷ4 をＯＮとすれば（図１６に示す状態）、全てのランプ接触子１１，１２，１３，１４を互いに接続することができる（全面照光）。また、各スイッチＳＷ1,ＳＷ2,ＳＷ3,ＳＷ4 のＯＮ／ＯＦＦを適宜に選択すれば、図１７に示すように、上下２分割、左右２分割、４分割または３分割の照光方式を設定することができる。
【００４６】
なお、以上のようなロータリスイッチあるいはディップスイッチに代えて、スライドスイッチ、ロッカースイッチまたはトグルスイッチ等の他のスイッチを切換手段に用いてもよい。
【００４７】
以上の各実施の形態では、照光用ランプの数が４個の例を示したが、本発明はこれに限られることなく、２個または３個あるいは５個以上の照光用ランプを備えた装置にも適用できる。
【００４８】
以上の各実施の形態では、長角形の照光式押ボタンスイッチの例を示したが、本発明はこれに限られることなく、正方形や丸形の照光式押ボタンスイッチにも適用可能であり、また、照光式セレクタスイッチ等の他の操作スイッチにも適用可能である。さらに、これら操作スイッチのほか、操作パネルのディスプレイブロック（表示灯）などの各種の照光装置にも適用できる。
【００４９】
ここで、本発明は、操作軸が一方向に移動自在に配設された操作部と、接点機構を有するスイッチ部を備え、押ボタンの操作により操作軸が移動し、その操作軸の移動によりスイッチ部の接点が開閉するように構成されているとともに、操作部に押ボタンを照光するための複数の照光用ランプが設けられてなる照光式押ボタンスイッチにおいて、各照光用ランプがランプ接触子を介してランプ端子に接続されるとともに、その各ランプ端子は、切断が可能な渡り片を介して互いに接続されていることを特徴とするものであってもよい。
【００５０】
【発明の効果】
請求項１に係る照光装置製造方法によれば、切断用工具を貫通穴から引き抜くときに、切断した渡り片を同時に除去することが可能となり、渡り片が照光装置の内部に残留して短絡の原因となることを防止するので、信頼性の高い照光装置を容易に製造することができる。
【００５１】
請求項２に係る照光装置によれば、切断された渡り片の接続を変更することが可能となり、上下分割、左右分割、３分割、４分割などの分割照光を自由に設定することが可能となる。
【図面の簡単な説明】
【図１】本発明の実施の形態の分解斜視図である。
【図２】本発明の実施の形態の縦断面図である。
【図３】本発明の実施の形態の縦断面図である。
【図４】本発明の実施の形態に用いるランプ接触子ベースの斜視図である。
【図５】同じくランプ接触子ベースの正面図（Ａ）及び側面図（Ｂ），（Ｃ）である。
【図６】図４に示すランプ接触子ベースの作製に用いる接触子パターンの正面図（Ａ）及び側面図（Ｂ），（Ｃ）である。
【図７】本発明の実施の形態に用いる渡り部品の例を示す図である。
【図８】切断用工具の構造を示す図である。
【図９】本発明の実施の形態の使用方法の説明図である。
【図１０】ランプ接触子ベースの参考例を示す正面図である。
【図１１】図１０のＺ部詳細図である。
【図１２】ランプ接触子ベースの参考例を示す正面図である。
【図１３】ロータリスイッチの構造を模式的に示す図である。
【図１４】参考例の使用例の説明である。
【図１５】ランプ接触子ベースの参考例を示す正面図である。
【図１６】ロータリスイッチの構造を模式的に示す図である。
【図１７】参考例の使用例の説明である。
【図１８】照光式押ボタンスイッチの分割照光の例を示す図である。
【図１】
0004386389.tif 000002
【図２】
0004386389.tif 000003
【図３】
0004386389.tif 000004
【図４】
0004386389.tif 000005
【図５】
0004386389.tif 000006
【図６】
0004386389.tif 000007
【図７】
0004386389.tif 000008
【図８】
0004386389.tif 000009
【図９】
0004386389.tif 000010
【図１０】
0004386389.tif 000011
【図１１】
0004386389.tif 000012
【図１２】
0004386389.tif 000013
【図１３】
0004386389.tif 000014
【図１４】
0004386389.tif 000015
【図１５】
0004386389.tif 000016
【図１６】
0004386389.tif 000017
【図１７】
0004386389.tif 000018
【図１８】
0004386389.tif 000019